(57)【特許請求の範囲】
【請求項１】
インクを噴射する複数のアクチュエータを有する記録ヘッドと、その記録ヘッドにインク供給源からインクを供給するインク流路と、そのインク流路に設けられたフィルタとを有するインクジェット記録装置において、  前記インク流路の前記フィルタの上流側の部分は、そのフィルタの上流側の面と平行な方向にそのフィルタに対してインクを導入する導入路となっており、 前記フィルタを囲む周壁はほぼ円形であり、 前記導入路は、前記フィルタの外周の接線と平行な方向に延びているとともに、前記周壁の円形の半径よりも狭い幅であって、その導入路を構成する２つの壁の一方が前記周壁と連続していることを特徴とするインクジェット記録装置。
【請求項２】
請求項１に記載のインクジェット記録装置において、前記導入路を構成する前記２つの壁の前記一方に対する他方が、前記フィルタの面上に、そのフィルタの面に沿ってリブ状の仕切り壁として延長されていることを特徴とするインクジェット記録装置。
【発明の詳細な説明】
【技術分野】
【０００１】  本発明は、インクを噴射して記録媒体上に記録をおこなうインクジェット記録装置に関する。
【背景技術】
【０００２】  インクジェット記録装置は、圧電素子や加熱素子等をアクチュエータとして、圧電素子を変形したりあるいはインクを局部的に加熱して沸騰させる等してインクを選択的に噴射するものが一般的であり、この複数のアクチュエータに、インクタンクからチューブを介してあるいはインクカートリッジから直接インクを供給するインク流路を備えている。そしてそのインク流路には、アクチュエータへ流入するインクから異物や気泡を除去するためのフィルタを設けることが必要である。
【発明の開示】
【発明が解決しようとする課題】
【０００３】  インク流路は、同時に多数のアクチュエータを駆動したり、あるいは回復動作のために多数のノズルにキャップをかぶせて吸引したとき、多量のインクをアクチュエータに供給するのに、それに応じた断面積を必要とする。さらにフィルタは、格子状の骨格部の間に微小な開口部をもつものであるから、開口部の総面積が一時に多量のインクを供給するのに必要な面積だけなければならず、インク流路の断面積よりも十分に大きい断面積を必要とする。【０００４】  近年、多ノズル化が進み１つの記録ヘッドに多数のアクチュエータが配列され、さらに多階調化のためにノズルが微小径化される一方１ドットに多数のインク滴が連続して噴射されるようになって、フィルタの各開口部を一層微小化する一方一時に多量のインクを供給するために面積も一層大きくする必要が生じるようになった。そしてそれにともない、そのフィルタの上流側および下流側近傍において、インク流路を拡大した形状にしなければならない。【０００５】  回復動作のために多数のノズルにキャップをかぶせて吸引したり、あるいはインク供給源側から高い圧力をもってインクを押し出したり、または同時に全アクチュエータを駆動するフラッシングを行ったとき（以下、これらの動作を総称して回復動作という）、インクの速い流れにより気泡が変形してフィルタを通過し、排出できることが望ましい。しかし上記のようにフィルタの面積が大きくなると、その上流側近傍においてインクの流速が低下し、インク中に発生した気泡がフィルタの上流側の面に付着して停滞するようになる。このように、フィルタに気泡が付着すると、フィルタの面積が狭められ、同時に多数のアクチュエータを駆動したり、連続してアクチュエータを駆動するとき、インクの供給不足になり、噴射不良を生じることになる。【０００６】  本発明は、上述した問題点を解決するためになされたものであり、フィルタ上流側の気泡を効果的に排出し、良好なインク噴射を長期にわたって維持することができるインクジェット記録装置を提案する。
【課題を解決するための手段および発明の効果】
【０００７】  この目的を達成するために、請求項１に記載のインクジェット記録装置は、インクを噴射する複数のアクチュエータを有する記録ヘッドと、その記録ヘッドにインク供給源からインクを供給するインク流路と、そのインク流路に設けられたフィルタとを有するインクジェット記録装置において、前記インク流路の前記フィルタの上流側の部分は、そのフィルタの上流側の面と平行な方向にそのフィルタに対してインクを導入する導入路となっており、前記フィルタを囲む周壁はほぼ円形であり、前記導入路は、前記フィルタの外周の接線と平行な方向に延びているとともに、前記周壁の円形の半径よりも狭い幅であって、その導入路を構成する２つの壁の一方が前記周壁と連続していることを特徴とする。
【０００８】  このように構成することで、上記のように回復動作を行ったり、同時に多数のアクチュエータを駆動したとき、インクにはフィルタの面に沿うように速い流れが形成される。その結果、インク中の気泡を変形してフィルタを通過させ、アクチュエータをとおって外部へ排出することができ、気泡によるインク供給不良を回避し、良好なインク噴射を長期にわたって維持することができる。
【０００９】  この場合、前記導入路は、フィルタの外周の接線と平行な方向に延びていることで、インクに、フィルタの外周から内側へ渦巻きを形成しながら全面にわたってフィルタの面に沿う速い流れを形成することができる。さらに好ましくは、前記フィルタを囲む周壁はほぼ円形であって、前記導入路は、その円形の半径よりも狭い幅であって、その導入路を構成する２つの壁の一方が前記周壁と連続していることで、一層効果的にインクは渦巻きを形成しながら速く流れる。
【００１０】
【００１１】  さらに、好ましくは、前記導入路を構成する前記２つの壁の前記一方に対する他方が、前記フィルタの面上に、そのフィルタの面に沿ってリブ状の仕切り壁として延長されていることで、フィルタの全面に効果的に流れを形成し、フィルタの全面を有効に使用することができる。
【００１２】
【００１３】
【発明を実施するための最良の形態】
【００１４】  以下、本発明の実施の形態を図面にしたがって説明する。【００１５】  記録ヘッド１０は、公知のようにインク溝１１を有するアクチュエータを複数配列して備え、インク溝１１の下端をノズル１１ａとしてインクを噴射するものである。アクチュエータとしては、インク溝内のインクを局部的に加熱して沸騰させてインクを噴射する加熱方式のもの、インク溝の側壁を圧電素子や静電気により変形させインクを噴射する方式のものなどが利用できる。【００１６】  ノズル１１ａとは反対側の記録ヘッド１０の面には、マニホールド部材１２を備え、インク供給源から供給したインクをマニホールド部材１２によって複数のインク溝１１に分配する。マニホールド部材１２とインク供給源とを接続するインク流路１３は、２個の流路形成部材２１、２２間に構成する。【００１７】  つまり、インク流路１３は、記録ヘッド１０における複数のインク溝１１の配列方向と平行な面内に延びており、２個の流路形成部材２１、２２は、そのインク流路１３におけるインクの流れ方向に延び、かつその流れ方向と直交する方向、たとえば上下方向に相互に対向して位置している。上側の流路形成部材２１は、インク流路１３の一端と接続する接続口２３を上面に筒状に突出して備え、下面に、インク流路１３の外周を囲むリブ状の周壁２５を突出して備えている。下側の流路形成部材２２は、インク流路１３の他端と接続する接続口２４を下面に筒状に突出して備える。両流路形成部材２１、２２はそれぞれ合成樹脂材料で成形してあり、リブ状の周壁２５の下端に下側流路形成部材２２を当接して超音波溶着により接合してある。【００１８】  下側の流路形成部材２２における接続口２４の周囲は、上方へ向けて拡大するようにロート状に凹み、その凹み２６を覆ってフィルタ２８が、凹み２６の上端の周壁２７に熱溶着により固着してある。フィルタ２８は、金属繊維を網状に編んだもの、金属繊維を焼結したものなどで構成し、外形が円形であることが好ましい。凹み２６の上端の開口面積は、フィルタ２８が後述するリブ状の仕切り壁３０や周壁２７と接触する部分を除いて、フィルタ２８の開口部の総面積が、複数のインク溝１１の総断面積と同じかそれを上回るように決めてある。【００１９】  図２に示すように、リブ状の周壁２５においてフィルタ２８を囲む部分２５ａは、円形をなし、その円形部分２５ａと接続口２３とを接続するインク流路１３の直線部分を囲む部分２５ｂ、２５ｃの幅は、円形部分２５ａの半径よりも小さい。直線部分の一方の周壁２５ｂは、円形部分の周壁２５ａから接線方向に延びており、したがって、接続口２３から延びるインク流路１３が円形部分の周壁２５ａに接続する部分すなわち導入路１３ａは、フィルタ２８の上面部分に平行でかつフィルタ２８の外周に接線方向に接続する。【００２０】  フィルタ２８の上面（インク供給側の面）は、その面方向に沿ってリブ状の仕切り壁３０により仕切ってある。この仕切り壁３０は、上側流路形成部材２１の下面から一体に突出し、フィルタ２８の上面に当接または近接している。仕切り壁３０は、インク流路１３の直線部分を囲む部分の他方の周壁２５ｃからフィルタ２８上に延長するように延び、円形部分の周壁２���ａと間隔をおいてフィルタ２８の中心へ向かって渦巻き状をなしている。したがって、周壁２５ａと仕切り壁３０は共同して、フィルタ２８上の空間を渦巻き状に仕切り、仕切り壁３０がない場合に比べインクの流れ方向と直交する断面積を狭め、外周側から中心に向かって細長く延びた空間を形成している。【００２１】  上側流路形成部材２１の接続口２３には、ゴム等の弾性材料のシール部材３１を備え、インクを収容したインクカートリッジ３２を接続することができる。なお接続口２３には、図示しないチューブを介してインクタンクを接続することもできる。下側流路形成部材２２の接続口２４は、チューブ３３を介してマニホールド部材１２と接続する。【００２２】  両流路形成部材２１、２２と記録ヘッド１０、マニホールド部材１２は、１つの支持板３４に固定してあり、１つのユニットを構成している。【００２３】  記録ヘッド１０でインクの噴射動作をしたり、全ノズル１１ａを公知のキャップで覆ってキャップに接続した減圧源で吸引動作をすると、マニホールド部材１２、インク流路１３をとおして、インクカートリッジ３２またはインクタンク等のインク供給源からインクを引く。このとき、導入路１３ａからフィルタ２８上に流れ込むインクは、仮にインク流路１３の端部がフィルタ２８の近傍で単純に拡大している場合、フィルタ２８上で流速を低下し、インク中に含まれる気泡を停滞させてしまう。この気泡が成長すると、フィルタを閉塞し、多数のアクチュエータを同時に駆動したときインクの供給不足を生じて、インクの噴射不良をきたす。【００２４】  本実施の形態では、導入路１３ａからフィルタ２８上に流れ込むインクは、フィルタ２８の外周に沿って高速で旋回し中心にむかって流れる。つまり、インクは、フィルタ２８の全面に沿って速い流れをつくりながら、そのフィルタ２８を通過する。インク中に発生した気泡は、このとき、フィルタ２８の微小開口部より大きくても、インクの流れによって変形しながらその微小開口部を通過させることができる。【００２５】  したがって、上記のように回復動作を行うことで、インク流路中の気泡を効果的に排出することができ、長期にわたって気泡がフィルタを閉塞することがなく、多数のアクチュエータを同時に駆動してもインクが十分に供給され、良好なインク噴射動作を維持することができる。【００２６】  なお、上記実施の形態では、仕切り壁３０を渦巻き状に形成したが、図４に示すように、導入路１３ａからフィルタ２８の面と平行でかつその外周部分の接線方向にインクが流入するだけでも、フィルタ２８の外周部分に沿って旋回するインクの速い流れを形成することができる。この場合、インクの流れを案内するように、直線状の周壁２５ｃの延長部分あるいはそこから周方向に離れた位置に、円形の周壁２５ａと間隔をおいて平行に、仕切り壁３０ａ、３０ｂを設けることもできる。【００２７】  また、図５はさらに他の実施の形態を示すもので、ほぼ平行な複数のリブ状の仕切り壁３０ｃ、３０ｄ、３０ｅを、円形の周壁２５ａの一方の側から延び、先端がそれと対向する側と間隔をおいて位置し、かつ隣接する仕切り壁では、周壁２５ａの上記の対向する側から延び、先端が上記の一方の側と間隔を��いて位置するように、交互にその向きを変えて形成している。つまり、フィルタ２８の上面に沿ってインク流路をジグザク状に屈曲することによって、流路の断面積を狭め、インクの流れを速くするようにしている。【００２８】  図６は、さらに他の実施の形態を示すもので、２つのほぼ平行なリブ状の仕切り壁３０ｆ、３０ｆを、フィルタ２８のほぼ中央から周壁２５ａに間隔をおいて接近する位置へ延びるように形成している。また、その仕切り壁３０ｆ、３０ｆの延長方向に直線部分の両周壁２５ｂ、２５ｃを形成し、その両周壁２５ｂ、２５ｃ間の導入路１３ａをフィルタ２８の中心に向けている。その導入路１３ａと反対側で両仕切り壁３０ｆ、３０ｆ間と対向する周壁２５ａの部分は、インク流を二分するように三角状に突出している。したがって、両周壁２５ｂ、２５ｃ間からフィルタ２８の中心に導入されたインクを、周壁２５ａにあてて、両仕切り壁３０ｆ、３０ｆの両外側方向へ二分しそれぞれ周壁２５ａに沿う方向に流すようにしている。【００２９】  なお、図６の実施の形態の場合、一方の仕切り壁３０ｆと周壁２５ａとの間の部分およびそれと反対側の周壁２５ａと他方の仕切り壁３０ｆとの間の部分の両方に、接続口２３からのインクを導入し、両周壁２５ａに沿いながら仕切り壁３０ｆ、３０ｆ間へ案内するようにすることもできる。【００３０】  図７は、さらに他の実施の形態を示すもので、接続口２３を、フィルタ２８と対向する位置の上側流路形成部材２１に形成したため、インク流路１３がフィルタ２８と直交する方向にあることになるが、フィルタ２８に近い部分において、フィルタ面と交差する方向からその面と平行な方向に徐々に方向を変更する曲面１３ｂにより、導入路１３ｃを方向変更している。これにより、インクはフィルタの一箇所に集中することなく広い面積にわたって供給され、フィルタの面に沿って流れる。この導入路１３ｃの構成は、上記各実施の形態における導入路において実施することができる。例えば図２および図４の構成においては、フィルタ２８の中心位置にこの導入路１３ｃを配置し、渦巻きの中心側から外周側へインクを流すようにしてもよい。【００３１】  なお、上記各実施の形態において、仕切り壁と対向する凹み２６の位置に、同じ形状または類似形状の壁を形成し、その壁と仕切り壁とでフィルタを挟むように構成することもできる。
【図面の簡単な説明】
【００３２】
【図１】本発明の実施の形態を示すインクジェット記録装置の要部縦断面図で、図２のＢ−Ｂ線断面図である。
【図２】図１のＡ−Ａ断面図である。
【図３】図１の一部を分解した断面図である。
【図４】本発明の他の実施の形態の図２相当の要部断面図図である。
【図５】本発明のさらに他の実施の形態の図２相当の要部断面図図である。
【図６】本発明のさらに他の実施の形態の図２相当の要部断面図図である。
【図７】本発明のさらに他の実施の形態の図１相当の要部断面図図である。
【符号の説明】
【００３３】１０  記録ヘッド１３  インク流路２１  上側流路形成部材２２  下側流路形成部材２５ａ  周壁２８  フィルタ３０  仕切り壁
【図１】
0004265580.tif 000002
【図２】
0004265580.tif 000003
【図３】
0004265580.tif 000004
【図４】
0004265580.tif 000005
【図５】
0004265580.tif 000006
【図６】
0004265580.tif 000007
【図７】
0004265580.tif 000008